(57)【要約】【課題】筺体全面から着脱が容易で、耐震性を向上させた情報処理装置のＨＤＤ支持構造を提供することを目的とする。【解決手段】筺体１は、その前面にスロット２を備え、基板を固定し、第１のコネクタ８と、第２のコネクタ９及びＨＤＤ４ａとを一体で筺体１に固定するネジ穴を備えるＨＤＤ支持金具１ａと、筺体１に固定された案内レール６とを備え、当該ＨＤＤを一体で固定するＨＤＤトレイ４ｂと、ＨＤＤトレイ両端部を筐体前面に固定する一対の固定ネジ４ｃと、ＨＤＤトレイ４ｂ上でＨＤＤ４ａの両側部に固定され、筐体１の前面から挿入してスロット２後部に位置するＨＤＤ支持金具１ａのネジ穴にネジ込みしてＨＤＤトレイ４ｂを固定する一対のローレットネジ部４ｄとを備えるＨＤＤユニット４とを備える。ＨＤＤユニット４を挿入方向の両端部を筐体１と一体に固定し、第１のコネクタと第２のコネクタと位置ずれを防止するようにしたことを特徴とする。【選択図】  図１
2013077343.tif 000002
【特許請求の範囲】
【請求項１】
情報処理装置の筺体内の基板に固定される第１のコネクタと、ＨＤＤに備える第２コネクタとを接続し、当該ＨＤＤを着脱可能に設けられる情報処理装置のＨＤＤ支持構造であって、
前記筺体は、その前面に前記ＨＤＤを挿入するスロットを備え、さらに、前記基板を固定し、前記第１のコネクタと、前記第２のコネクタ及びＨＤＤとを一体で前記筺体に固定するネジ穴を備えるＨＤＤ支持金具と、前記スロットから前記ＨＤＤの着脱位置を案内する前記筺体１に固定された案内レールと、
を備え、
前記ＨＤＤと、当該ＨＤＤを一体で固定するＨＤＤトレイと、当該ＨＤＤトレイ両端部を前記筐体前面に固定する一対の固定ネジと、
当該ＨＤＤトレイ上で前記ＨＤＤの両側部に固定され、前記筐体の前面から挿入して前記スロット後部に位置する前記ＨＤＤ支持金具のネジ穴にネジ込みして当該ＨＤＤトレイを固定する一対のローレットネジ部と、
を備えるＨＤＤユニットと、
を備え、
前記ＨＤＤユニットを前記筐体前面に固定するとともに、ローレットネジ部の先端部を前記ＨＤＤ支持金具のネジ穴にネジ込んで、当該ＨＤＤユニットを挿入方向の両端部を当該筐体と一体に固定し、前記第１のコネクタと前記第２のコネクタと位置ずれを防止するように固定したことを特徴とする情報処理装置のＨＤＤ支持構造。
【請求項２】
前記ローレットネジ部は、ローレットネジ本体と、当該ローレットネジ本体を前記ＨＤＤ支持金具のネジ穴にガイドするローレットガイドレールと、
を備え、
前記ローレットネジ本体は、頭部首部にバネ部と、その先端部にネジ部を備える請求項１に記載の情報処理装置のＨＤＤ支持構造。
【請求項３】
前記ローレットガイドレールは、パイプ材で成形したものである請求項１に記載の情報処理装置のＨＤＤ支持構造。
【発明の詳細な説明】
【技術分野】
【０００１】
本発明の実施形態は、情報処理装置のＨＤＤ支持構造に関する。
【背景技術】
【０００２】
社会インフラの分野で使用されるコンピュータは、汎用のパソコンに求められる以上の頑健性、信頼性、及び保守の容易性が要求される。このような要求に答えるコンピュータとして産業用コンピュータがある。
【０００３】
この産業用コンピュータの記憶装置としては、データの高速転送が可能なSATA（Serial Advanced Technology Attachment）及びSCSI(Small Computer System Interface)に基づいた規格で、さらに、筺体前面パネルから交換が可能なフロント交換タイプのＨＤＤ(Hard Disk Drive)ユニットが求められている。
【０００４】
このフロント交換タイプのＨＤＤユニットを備える産業用コンピュータの例を図２に示す。この産業用コンピュータ１００の筺体１の正面部にはＨＤＤユニット４０の入れ替え用のスロット２が設けられている。
【０００５】
ＨＤＤ４ａは、ＨＤＤトレイ４ｂに底面にて固定され、ＨＤＤトレイ４ｂと一体固定されたＨＤＤユニット４０としてスロット２に差し込まれ、案内レール６にガイドされて、正面ネジ部４ｃにて筐体１へ固定される。
【０００６】
このＨＤＤユニット４０の取り付け構造の詳細を図３に示す。図３は、筺体１の側面、Ａ−Ａ’断面から矢印方向に見た側面図である。
【０００７】
図３において、筺体１のスロット２の内部にはＨＤＤトレイ４ｂを案内するための案内レール６がトレイの挿入方向に設置され、さらにスロット２の奥部にはコネクタ８を備えた基板７が、ＨＤＤ４ａの先端部に備えられたコネクタ９をＨＤＤトレイ４に押し込んで嵌め合う位置に固定されている。
【０００８】
このような構成においては、ＨＤＤ４ａと筺体１のコネクタ８との電気的な接続が、ＨＤＤトレイ４ａを筐体１に取り付けることで実現できるようにしている。
【０００９】
ＨＤＤ４ａの後端部のコネクタ９と基板７に固定されているコネクタ８とは、ＨＤＤ４ａ本体の寸法公差、ＨＤＤトレイ４ｂの製造上の寸法公差、ＨＤＤ４ａをＨＤＤトレイ４ｂに組み付けた際のＨＤＤユニット４０としての寸法公差、などの誤差要因を加味して設計する必要がある。
【００１０】
そのため、ＨＤＤ４ａのコネクタ９と基板７のコネクタ８とを公差内で嵌合出来るように、実際の設計ではＨＤＤトレイ４ｂと案内レール６との間には適度な隙間１０を設けている。
【００１１】
このような電気的接合部が嵌合しているコネクタ接続においては、ＨＤＤユニット４０が振動した場合にこの電気的接合部が損傷しないようにするため、コネクタ接点間の相対位置を一定に保つ必要がある。
【００１２】
そのため、夫々のコネクタの導体部分を挿脱方向に対して傾斜した傾斜面として成形し、ＨＤＤが本体に装着されるときに、相互の傾斜面が面接触状態に圧接するようコネクタを押圧し、ＨＤＤを押し込む力により、基板側のコネクタとＨＤＤ側のコネクタとが嵌合結合されるように構成した電気接続構造が開示されている（例えば、特許文献１参照。）。
【００１３】
また、ＨＤＤとその取り付けフレームを剛体として一体化し、筺体の取り付けアングルとの間に防振ゴムを介して取り付ける構成の磁気ディスク装置が開示されている（例えば、特許文献２参照。）。
【先行技術文献】
【特許文献】
【００１４】
【特許文献１】特許第３９１９４９４号公報
【特許文献２】特許第２５１１９３０号公報
【発明の概要】
【発明が解決しようとする課題】
【００１５】
上述したような従来の産業用コンピュータ等の情報処理装置においては、ＨＤＤが情報処理装置の筐体と一体の剛体として固定されている場合と異なり、情報処理装置の外部に露出している筺体パネル面のみで固定されるため、筺体内部で隙間１０が生じるのは構造上避けられない。
【００１６】
この隙間１０が存在する状態で外部から筺体全体に衝撃、振動が加えられると、案内レール６とＨＤＤトレイ４ｂとの間で衝突現象が起こり、時には外部から与えられる加速度以上の衝撃力が発生する場合がある。
【００１７】
ＨＤＤ４ａにとっては、衝撃力により内部のディスク及び読み取りヘッドの損傷や、ＨＤＤ４ａ側のコネクタ９と筐体側のコネクタ８との相対変位が大きくなり、コネクタ導体（ピン）間の接触不良を引き起こしたりし、故障のなる可能性がある。
【００１８】
しかしながら、特許文献１及び特許文献２に開示された構成には、ＨＤＤが着脱可能な構成においてＨＤＤの防振を行う技術は開示されていない。
【００１９】
本発明は、上記問題点を解決するためになされたもので、筺体全面から着脱可能なＨＤＤを備える情報処理装置において、取り付け、取り外しが容易で、さらに、耐震性を向上させた情報処理装置のＨＤＤ支持構造を提供することを目的とする。
【課題を解決するための手段】
【００２０】
上記目的を達成するために、本実施例による情報処理装置のＨＤＤ支持構造は、情報処理装置の筺体内の基板に固定される第１のコネクタと、ＨＤＤに備える第２コネクタとを接続し、当該ＨＤＤを着脱可能に設けられる情報処理装置０のＨＤＤ支持構造であって、前記筺体は、その前面に前記ＨＤＤを挿入するスロットを備え、さらに、前記基板を固定し、前記第１のコネクタと、前記第２のコネクタ及びＨＤＤとを一体で前記筺体に固定するネジ穴を備えるＨＤＤ支持金具と、前記スロットから前記ＨＤＤの着脱位置を案内する前記筺体に固定された案内レールと、を備え、前記ＨＤＤと、当該ＨＤＤを一体で固定するＨＤＤトレイと、当該ＨＤＤトレイ両端部を前記筐体前面に固定する一対の固定ネジと、当該ＨＤＤトレイ上で前記ＨＤＤの両側部に固定され、前記筐体の前面から挿入して前記スロット後部に位置する前記ＨＤＤ支持金具のネジ穴にネジ込みして当該ＨＤＤトレイを固定する一対のローレットネジ部と、を備えるＨＤＤユニットと、を備え、前記ＨＤＤユニットを前記筐体前面に固定するとともに、ローレットネジ部の先端部を前記ＨＤＤ支持金具のネジ穴にネジ込んで、当該ＨＤＤユニットを挿入方向の両端部を当該筐体と一体に固定し、前記第１のコネクタと前記第２のコネクタと位置ずれを防止するように固定したことを特徴とする。
【図面の簡単な説明】
【００２１】
【図１】本実施例の情報処理装置のＨＤＤ支持構造図。
【図２】従来の情報処理装置の着脱構造の説明図。
【図３】従来の情報処理装置の支持構造の説明図。
【発明を実施するための形態】
【００２２】
以下、本実施例の情報処理装置のＨＤＤ支持構造について図面を参照して説明する。図１は本実施例１の情報処理装置１００のＨＤＤ支持構造を示し、図１の各部について図２及び図３のＨＤＤ支持構造と同じ部分は同一符号を付し、その説明を省略する。
【００２３】
図１に示すＨＤＤ支持構造が従来の支持構造と異なる点は、筐体１と一体に固定コネクタ８を備える基板７と、筐体１と一体に固定されるＨＤＤユニット４とを長尺のローレットネジ部４ｄで一体に固定する構造を付加したことにある。
【００２４】
図１は、ＨＤＤユニット４を筐体１内部に取り付けるとき、その挿入方向に対し図２に示す側面Ａ−Ａ’から見た部分断面図を示し、図１（ｂ）は図１（ａ）のその部分平面図を示す。また、図１（ａ）の断面図は、図１（ｂ）Ｚ−Ｚ’矢印方向から見た断面図に対応する。
【００２５】
先ず、情報処理装置１００のＨＤＤ支持構造の構成について説明する。本実施例のＨＤＤ支持構造は、筺体１内の基板７に固定される第１のコネクタ８と、ＨＤＤ４ａに備える第２コネクタ９とを接続し、当該ＨＤＤ４ａを着脱可能に設けられる。
【００２６】
筺体１は、その前面にＨＤＤ４ａを挿入するスロット２を備え、さらに、基板を固定し、第１のコネクタ８と、第２のコネクタ９及びＨＤＤ４ａとを一体で筺体１に固定するネジ穴Ｍｓを備えるＨＤＤ支持金具１ａと、スロット２からＨＤＤ４ａの着脱位置を案内する筺体１に固定された案内レール６と、を備える。
【００２７】
また、スロット２から着脱するＨＤＤユニットは、ＨＤＤ４ａと、当該ＨＤＤを一体で固定するＨＤＤトレイ４ｂと、当該ＨＤＤトレイ両端部を筐体１前面に固定する一対の固定ネジ４ｃとを備える。
【００２８】
さらに、当該ＨＤＤトレイ４ｂ上でＨＤＤ４ａの両側部に固定され、筐体１の前面から挿入してスロット２後部に位置するＨＤＤ支持金具１ａのネジ穴Ｍｓにネジ込みして当該ＨＤＤトレイ４ｂを固定する一対のローレットネジ部４ｄと、を備える。
【００２９】
このように構成された情報処理装置のＨＤＤ支持構造に拠れば、ＨＤＤユニット４を筐体１前面に固定するとともに、ローレットネジ部４ｄの先端部をＨＤＤ支持金具１ａのネジ穴にネジ込んで、当該ＨＤＤユニット４を挿入方向の両端部を当該筐体１と一体に固定する。
【００３０】
ローレットネジ部４ｄは、詳細には、ローレットネジ本体４ｄ１と、当該ローレットネジ本体４ｄ１をＨＤＤ支持金具１ａのネジ穴Ｍｐにガイドするローレットガイドレール４ｄ２と、を備え、ローレットネジ本体４ｄ１は、頭部首部にバネ部Ｍｈと、その先端部にネジ部Ｍｓを備える。
【００３１】
また、ローレットガイドレール４ｄ２は、パイプ材で成形したものが望ましい。
【００３２】
このように構成された本実施例に拠れば、第１のコネクタと前記第２のコネクタと位置ずれを防止することができ、筐体１の全体に衝撃や振動が加わっても、案内レール６とＨＤＤトレイ４ｂとの間での衝突が起きず、外部から与えられる加速度以上の衝撃力が発生する恐れが無い。
【００３３】
また、特許文献２に開示されたような防振ゴムによる振動防止構成では、長期に使用した場合、弾性力の経時変化による防振特性の変化が予想されるが、本実施例に拠ればそのような恐れもない。
【００３４】
さらに、防振ゴムの場合、その粘着力により着脱が容易でなくなる場合も予想されるが、本実施例に拠れば、ネジ固定であるので着脱が容易に行える効果もある。
【００３５】
以上説明したように、本実施例に拠れば、筺体全面からの着脱が容易で、さらに、耐震性を向上させた情報処理装置のＨＤＤ支持構造を提供することができる。
【００３６】
本発明の実施例を説明したが、これらの実施例は、例として提示したものであり、発明の範囲を限定することを意図していない。これら新規な実施例は、その他の様々な形態で実施されることが可能であり、発明の要旨を逸脱しない範囲で，種々の省略、置き換え、変更を行うことが出来る。これらの実施例やその変形は、発明の要旨に含まれるとともに、特許請求の範囲に記載された発明と均等の範囲に含まれる。
【符号の説明】
【００３７】
１  筺体
１ａ  ＨＤＤ支持金具
２  スロット
４、４０  ＨＤＤユニット
４ａ  ＨＤＤ
４ｂ  ＨＤＤトレイ
４ｃ  固定ネジ
４ｄ  ローレットネジ部
４ｄ１  ローレットネジ本体
４ｄ２  ローレットガイドレール
６  案内レール
７  基板
８  第１のコネクタ
９  第２のコネクタ
１０  ＨＤＤトレイと案内レールとの間の隙間
１００  情報処理装置
【図１】
2013077343.tif 000003
【図２】
2013077343.tif 000004
【図３】
2013077343.tif 000005